【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
蓄積された映像コンテンツに対して画像処理を適用する画像処理装置であって、
前記映像コンテンツに画像処理を適用する画像処理手段と、
前記画像処理の内容及び進捗状況に関する情報を含む画像処理情報を記憶する記憶手段と、
前記画像処理を中断した場合、前記映像コンテンツと前記画像処理情報とを他の画像処理装置へ転送する転送手段とを有し、
前記転送手段は、前記画像処理情報を前記映像コンテンツに多重化した転送用コンテンツにより、前記映像コンテンツと前記画像処理情報とを他の画像処理装置へ転送することを特徴とする画像処理装置。
【請求項２】
前記画像処理を適用中に、前記画像処理よりも優先すべき処理に起因して前記画像処理を継続できなくなった場合、前記画像処理手段は前記画像処理を中断することを特徴とする請求項１記載の画像処理装置。
【請求項３】
前記転送用コンテンツはＭＰＥＧ２−ＴＳ形式であり、前記画像処理情報は当該転送用コンテンツにＭＰＥＧ２−ＴＳ形式の新規のセクションとして多重化されることを特徴とする請求項１又は請求項２記載の画像処理装置。
【請求項４】
前記画像処理が前記映像コンテンツを構成するフレーム毎に行われ、前記進捗状況に関する情報が処理済のフレームを示す情報であることを特徴とする請求項１乃至請求項３のいずれか１項に記載の画像処理装置。
【請求項５】
映像コンテンツに対して画像処理を適用可能な画像処理手段を有する画像処理装置であって、
他の画像処理装置から、映像コンテンツと、前記映像コンテンツに対して前記他の画像処理装置が途中まで行った画像処理の内容及び進捗状況に関する情報を含む画像処理情報とを受信する受信手段と、
前記画像処理の内容及び進捗状況に関する情報の少なくとも一方に基づいて、前記画像処理手段で行うべき画像処理を選択する選択手段とを有し、
前記画像処理手段が、前記選択手段の選択した画像処理を、前記他の画像処理装置から受信した映像コンテンツに適用することを特徴とする画像処理装置。
【請求項６】
前記選択手段が、前記画像処理情報に含まれる前記画像処理の内容に基づき、前記他の画像処理装置が行った画像処理と同一の画像処理を選択し、
前記画像処理手段が、前記画像処理情報の前記進捗状況に関する情報に基づいて、前記同一の画像処理を前記映像コンテンツのうち前記他の画像処理装置で画像処理が行われていない部分に適用することを特徴とする請求項５記載の画像処理装置。
【請求項７】
前記選択手段が、前記画像処理情報に含まれる前記進捗状況に関する情報に基づき、前記映像コンテンツのうち画像処理が行われていない量が閾値を超えると判断される場合には、前記他の画像処理装置が行った画像処理に用いた手法と異なる手法を用いた画像処理を選択することを特徴とする請求項５又は請求項６記載の画像処理装置。
【請求項８】
蓄積された映像コンテンツに対して画像処理を適用する画像処理装置の制御方法であって、
前記映像コンテンツに画像処理手段で画像処理を適用する画像処理ステップと、
前記画像処理の内容及び進捗状況に関する情報を含む画像処理情報を記憶手段に記憶する記憶ステップと、
前記画像処理を中断した場合、前記映像コンテンツと前記画像処理情報とを他の画像処理装置へ転送する転送ステップとを有し、
前記転送ステップは、前記画像処理情報を前記映像コンテンツに多重化した転送用コンテンツにより、前記映像コンテンツと前記画像処理情報とを他の画像処理装置へ転送することを特徴とする画像処理装置の制御方法。
【請求項９】
前記画像処理を適用中に、前記画像処理よりも優先すべき処理に起因して前記画像処理を継続できなくなった場合、前記画像処理ステップは前記画像処理を中断することを特徴とする請求項８記載の画像処理装置の制御方法。
【請求項１０】
前記転送用コンテンツはＭＰＥＧ２−ＴＳ形式であり、前記画像処理情報は当該転送用コンテンツにＭＰＥＧ２−ＴＳ形式の新規のセクションとして多重化されることを特徴とする請求項８又は請求項９記載の画像処理装置の制御方法。
【請求項１１】
前記画像処理が前記映像コンテンツを構成するフレーム毎に行われ、前記進捗状況に関する情報が処理済のフレームを示す情報であることを特徴とする請求項８乃至請求項１０のいずれか１項に記載の画像処理装置の制御方法。
【請求項１２】
映像コンテンツに対して画像処理を適用可能な画像処理手段を有する画像処理装置の制御方法であって、
他の画像処理装置から、映像コンテンツと、前記映像コンテンツに対して前記他の画像処理装置が途中まで行った画像処理の内容と進捗状況に関する情報を含む画像処理情報とを受信する受信ステップと、
前記画像処理の内容及び進捗状況に関する情報の少なくとも一方に基づいて、前記画像処理手段で行うべき画像処理を選択する選択ステップと、
前記画像処理手段により、前記選択ステップで選択された画像処理を、前記他の画像処理装置から受信した映像コンテンツに適用する画像処理ステップとを有することを特徴とする画像処理装置の制御方法。
【請求項１３】
前記選択ステップが、前記画像処理情報に含まれる前記画像処理の内容に基づき、前記他の画像処理装置が行った画像処理と同一の画像処理を選択し、
前記画像処理ステップが、前記画像処理手段により、前記画像処理情報の前記進捗状況に関する情報に基づいて、前記同一の画像処理を前記映像コンテンツのうち前記他の画像処理装置で画像処理が行われていない部分に適用することを特徴とする請求項１２記載の画像処理装置の制御方法。
【請求項１４】
前記選択ステップが、前記画像処理情報に含まれる前記進捗状況に関する情報に基づき、前記映像コンテンツのうち画像処理が行われていない量が閾値を超えると判断される場合には、前記他の画像処理装置が行った画像処理に用いた手法と異なる手法を用いた画像処理を選択することを特徴とする請求項１２記載の画像処理装置の制御方法。
【請求項１５】
コンピュータを、請求項１乃至請求項７のいずれか１項に記載の画像処理装置が有する各手段として機能させるためのプログラムを格納したコンピュータ読み取り可能な記録媒体。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００１
【補正方法】変更
【補正の内容】
【０００１】
本発明は画像処理装置及び画像処理方法に関し、特には、画像処理途中での処理受け渡しを可能とする画像処理装置及びその制御方法に関する。
【手続補正４】
【補正対象書類名】明細書
【補正対象項目名】０００９
【補正方法】変更
【補正の内容】
【０００９】
本発明は、このような課題を解決するためになされたものである。本発明は、蓄積された映像コンテンツに対する画像処理を中断した場合、中断した画像処理を他の画像処理装置が引き継いで実行することを可能にする画像処理装置及びその制御方法を提供することを目的とする。
【手続補正５】
【補正対象書類名】明細書
【補正対象項目名】００１０
【補正方法】変更
【補正の内容】
【００１０】
すなわち、上述の目的は、蓄積された映像コンテンツに対して画像処理を適用する画像処理装置であって、映像コンテンツに画像処理を適用する画像処理手段と、画像処理の内容及び進捗状況に関する情報を含む画像処理情報を記憶する記憶手段と、画像処理を中断した場合、映像コンテンツと画像処理情報とを他の画像処理装置へ転送する転送手段とを有し、転送手段は、画像処理情報を映像コンテンツに多重化した転送用コンテンツにより、前記映像コンテンツと前記画像処理情報とを他の画像処理装置へ転送することを特徴とする画像処理装置によって達成される。
【手続補正６】
【補正対象書類名】明細書
【補正対象項目名】００１２
【補正方法】削除
【補正の内容】
【手続補正７】
【補正対象書類名】明細書
【補正対象項目名】００５４
【補正方法】変更
【補正の内容】
【００５４】
次に、画像処理情報重畳部１０８の動作を詳細に説明する。
上述のように、画像処理情報重畳部１０８はＭＰＥＧ２−ＴＳ形式の送信コンテンツを作成する際、第１の画像処理情報蓄積部１０５に蓄積されている画像処理情報を多重する。この際、画像処理情報重畳部１０８は、画像処理情報を、第１の画像処理装置１００と第２の画像処理装置２００がともに解することが出来る新規のＭＰＥＧ２−ＴＳセクションとして定義し、多重する。本実施形態では画像処理情報、ここでは解像度変換情報を送信するためのテーブルとして、ＲＴＩＴ（Resolution Translate Information Table)を新規に定義する。